【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
掘削装置用磨耗アッセンブリにおいて、
支持構造と、
前記支持構造に取り付けられた磨耗部材と、
前記磨耗部材を前記支持構造に解放自在に固定するロックとを備え、
前記支持構造及び前記磨耗部材は前記ロックを受け入れるための開口部を協働して画成し、
前記ロックは、前端と後端と該前端と後端との間を延びる長さと円形横断面とを有する楔からなり、
前記楔は、実質的に全体の長さに沿って前記前端に向かってテーパしており、該楔の外面に沿って軸方向に延びる螺旋形状ねじが形成されており、
前記螺旋形状ねじは、前記楔を回転することにより前記楔を開口部内に移動し、前記ロックを前記開口部に締め付けるように前記開口部のねじ形成部に螺着する、掘削装置用磨耗アッセンブリ。
【請求項２】
請求項１に記載の掘削装置用磨耗アッセンブリにおいて、
前記楔に設けられた前記螺旋形状ねじは、螺旋状溝によって画成されている、掘削装置用磨耗アッセンブリ。
【請求項３】
請求項２に記載の掘削装置用磨耗アッセンブリにおいて、
前記溝はピッチが大きく、そのため、前記楔の外面の大部分が前記溝の各巻回部対間に存在し、前記ロックに対する支承面を提供する、掘削装置用磨耗アッセンブリ。
【請求項４】
請求項１乃至３のいずれか一つに記載の掘削装置用磨耗アッセンブリにおいて、
前記楔と前記開口部の壁との間に嵌着するスプールを更に含み、前記楔は、この楔を前記開口部内で締め付けるときに前記スプールに沿って移動できる、掘削装置用磨耗アッセンブリ。
【請求項５】
請求項４に記載の掘削装置用磨耗アッセンブリにおいて、
前記開口部の前記ねじ形成部は、前記溝と係合する少なくとも一つの突出部として前記スプールに形成されている、掘削装置用磨耗アッセンブリ。
【請求項６】
請求項４に記載の掘削装置用磨耗アッセンブリにおいて、
前記スプールは、本体及び一対のアームを含む全体にＣ形体を有する、掘削装置用磨耗アッセンブリ。
【請求項７】
請求項６に記載の掘削装置用磨耗アッセンブリにおいて、
前記各アームは、相手側のアームに面する内縁を有し、該内縁は、前記本体から離れて延びるように相互に分かれている、掘削装置用磨耗アッセンブリ。
【請求項８】
請求項１乃至７のいずれか一つに記載の掘削装置用磨耗アッセンブリにおいて、
前記楔の緩みに抵抗する保持部を更に備える、掘削装置用磨耗アッセンブリ。
【請求項９】
請求項８に記載の掘削装置用磨耗アッセンブリにおいて、
前記保持部は、前記磨耗部材に取り付けられている、掘削装置用磨耗アッセンブリ。
【請求項１０】
請求項８に記載の掘削装置用磨耗アッセンブリにおいて、
前記保持部は、前記スプールに取り付けられている、掘削装置用磨耗アッセンブリ。
【請求項１１】
請求項１乃至１０のいずれか一つに記載の掘削装置用磨耗アッセンブリにおいて、
前記スプールの反対側で前記楔と係合する挿入体を更に備える、掘削装置用磨耗アッセンブリ。
【請求項１２】
請求項１乃至１１のいずれか一つに記載の掘削装置用磨耗アッセンブリにおいて、
前記楔上の螺旋形状ねじは螺旋状押縁であり、前記ねじ形成部は溝構造である、掘削装置用磨耗アッセンブリ。
【請求項１３】
請求項１乃至１２のいずれか一つに記載の掘削装置用磨耗アッセンブリにおいて、
前記磨耗部材はポイントであり、前記支持構造はアダプタであり、これらは互いに取り付けられて掘削歯を形成する、掘削装置用磨耗アッセンブリ。
【請求項１４】
請求項１乃至１２のいずれか一つに記載の掘削装置用磨耗アッセンブリにおいて、
前記磨耗部材はアダプタであり、前記支持構造は掘削用バケットのリップである、掘削装置用磨耗アッセンブリ。
【請求項１５】
磨耗部材を掘削装置で使用する支持構造に取り付けるための方法において、
前記磨耗部材の形成部及び前記支持構造が協働して開口部を画成するように前記磨耗部材を前記支持構造に配置する工程と、
前端と後端と該前端と後端との間を延びる長さと円形横断面とを有する前記開口部の楔を挿入する工程であって、前記楔が、実質的に全体の長さに沿って前記前端に向かってテーパしており、該楔の外面に沿って軸方向に延びる螺旋形状ねじが形成されている、工程と、
前記螺旋形状ねじを前記開口部のねじ形成部に螺着する工程と、
前記開口部にあるときに前記楔を回転し、前記楔をさらに前記開口部内に駆動し、前記磨耗部材を前記支持構造にぴったりと保持する工程とを備える、方法。
【請求項１６】
請求項１５に記載の方法において、
前記楔と螺合する前記開口部のねじ形成部を持つスプールを前記開口部に挿入する工程を更に備える、方法。
【請求項１７】
請求項１５又は１６に記載の方法において、
前記楔の緩みに抵抗する保持部を更に備える、方法。
【請求項１８】
請求項１５乃至１７のいずれか一つに記載の方法において、
前記磨耗部材はポイントであり、前記支持構造はアダプタであり、これらは互いに取り付けられて掘削歯を形成する、方法。
【請求項１９】
請求項１５乃至１７のいずれか一つに記載の方法において、
前記磨耗部材はアダプタであり、前記支持構造は掘削用バケットのリップである、方法。
【請求項２０】
掘削装置用磨耗アッセンブリの二つの分離可能なコンポーネントによって画成された開口部に受け入れられるロックにおいて、
第１端と、第２端と、該第１端及び第２端を通って中心を延びる縦軸線と、前記開口部に最初に受け入れられる該第１端に向かってテーパする該縦軸線を中心とした、第１ねじ形成部を含む円形外面とを有する楔と、
前記楔を受け入れるためのおおむね凹状面をもつトラフと、前記楔上の前記第１ねじ形成部と係合する第２ねじ形成部とを有するスプールとを備え、
前記楔と前記スプールは、前記第１ねじ形成部と前記第２ねじ形成部との螺合によって前記開口部で互いに螺着しており、
前記楔を前記縦軸線を中心にして回転することにより、該縦軸線におおむね平行な方向でかつ前記スプールの前記トラフに沿って前記開口部の前記楔を移動し、前記ロックを前記開口部に締め付け、これによって、前記楔と前記スプールが、対向方向に前記分離可能なコンポーネントを押圧し、該二つのコンポーネントを相互に保持する、ロック。
【請求項２１】
請求項２０に記載のロックにおいて、
前記スプールは、本体と、前記トラフから離間して延びる該本体の両端にアームとを有する、ロック。
【請求項２２】
請求項２１に記載のロックにおいて、
前記各アームは、後方向に外側にテーパする内面を有する、ロック。
【請求項２３】
請求項２０乃至２２のいずれか一つに記載のロックにおいて、
前記第１ねじ形成部は、螺旋状溝であり、前記第２ねじ形成部は少なくとも一つの突出部である、ロック。
【請求項２４】
請求項２２に記載のロックにおいて、
前記スプールの前記突出部は、前記トラフに沿った離間配置関係にある一連の螺旋状押縁を有する、ロック。
【請求項２５】
請求項２０乃至２４のいずれか一つに記載のロックにおいて、
前記楔を回転するための前記楔の前記第２端部のツール受け入れ形成部を更に有する、ロック。
【請求項２６】
請求項２０乃至２５のいずれか一つに記載のロックにおいて、
前記楔の緩みに抵抗するために該楔に抗して弾性的に押圧された保持部を更に有する、ロック。
【請求項２７】
請求項２０乃至２６のいずれか一つに記載のロックにおいて、
前記ねじ形成部は、ピッチが大きく、そのため、前記外面の外面の大部分が、前記ねじ形成部の各巻回部間に存在し、前記ロックに対する支承面を提供する、ロック。
【請求項２８】
請求項２０乃至２７のいずれか一つに記載のロックにおいて、
前記スプールの反対側で前記楔と係合する挿入体を更に備える、ロック。
【請求項２９】
楔を受け入れるための開口部を画成する分離可能なコンポーネントを解放自在に固定するのに使用する楔において、
前記楔は、実質的に該楔の長さに沿って延びるねじ形成部が形成された丸みでおおむね円錐形の外面からなり、
前記ねじ形成部は、軸線を中心に前記楔を回転することによって前記開口部の内外に前記楔を移動するための螺旋状溝と、該溝の隣接した巻回部間に延びる螺旋状ランドセグメントとを有し、
前記螺旋状ランドセグメントは、前記螺旋状溝の幅よりも大きい幅を有し、
前記螺旋状ランドセグメントは、一方の分離可能なコンポーネントと接する第１支承面と、他方の分離可能なコンポーネントと接する対向側の第２支承面とを画成し、それによって、前記楔と前記コンポーネント間の荷重に抵抗する、楔。
【請求項３０】
請求項２９に記載の楔において、
前記楔を回転するためのツールと容易に係合するために一端に巻回形成部を更に備える、楔。
【請求項３１】
請求項２９又は３０に記載の楔において、
前記溝が前記楔の広い端部の方へ延びるように、該溝の幅が狭い、楔。
【請求項３２】
掘削装置用磨耗部材において、
前端と、
後端と、
前記前端の方に収束する収束壁と、
前記収束壁間を延びる側壁と、
前記後端に開口し、前記掘削機に固定されるノーズを受け入れるソケットと、
前記ソケットと連通するために前記壁の一つを通って延びる開口部と、
前記開口部に突出し、前記磨耗部材を前記ノーズに固定するためにねじ付楔と係合するねじ形成部を画成する弾性的に押圧されたラッチとを備える、掘削装置用磨耗部材。
【請求項３３】
請求項３２に記載の掘削装置用磨耗部材において、
前記ラッチが受け入れられるキャビティを更に備える、掘削装置用磨耗部材。
【請求項３４】
請求項３２又は３３に記載の掘削装置用磨耗部材において、
前記ラッチは、前記ねじ形成部を画成する本体と、前記ラッチを外方に押圧する弾性部材と有する、掘削装置用磨耗部材。